(57)【要約】【課題】コストを増加させることなく、再開封を容易にする。【解決手段】ジップファスナー１０は、対向する一対の面ＹＡ１１，ＹＡ１２からなる袋状の包装材料ＹＡ１の開口９を封ずる。このジップファスナー１０は、開口９に沿って一方の面ＹＡ１１に取り付けられる雄型の咬合子１１と、開口９に沿って他方の面ＹＡ１２に取り付けられる雌型の咬合子１２と、を備えている。雌型の咬合子１２は、他方の面ＹＡ１２に取り付けられる雌基部１２１と、雄型の咬合子１１の雄突起１１２の両脇を挟み込む一対の雌突起１２２と、を備えている。一対の雌突起１２２は、それぞれ、他方の面ＹＡ１２に垂直な方向に対して斜めとなるように雌基部１２１から突出している。【選択図】図２
2014117289.tif 000002
【特許請求の範囲】
【請求項１】
対向する一対の面からなる袋状の包装材料の開口を封ずるジップファスナーであって、
前記開口に沿って前記一対の面の一方の面に取り付けられる雄型の咬合子と、
前記開口に沿って前記一対の面の他方の面に取り付けられ、前記雄型の咬合子と咬合する雌型の咬合子と、を備え、
前記雌型の咬合子は、
前記他方の面に取り付けられる雌基部と、
前記雄型の咬合子の両脇を挟み込む一対の雌突起と、を備え、
前記一対の雌突起は、それぞれ、前記他方の面に垂直な方向に対して斜めとなるように前記雌基部から突出していることを特徴とする、
ジップファスナー。
【請求項２】
前記一対の雌突起は、互いに長さが異なることを特徴とする、
請求項１に記載のジップファスナー。
【請求項３】
対向する一対の面からなる袋状の包装材料の開口を封ずるジップファスナーであって、
前記開口に沿って前記一対の面の一方の面に取り付けられる雄型の咬合子と、
前記開口に沿って前記一対の面の他方の面に取り付けられ、前記雄型の咬合子と咬合する雌型の咬合子と、を備え、
前記雌型の咬合子は、
前記雄型の咬合子の両脇を挟み込む一対の雌突起を備え、
前記一対の雌突起は、互いに長さが異なることを特徴とする、
ジップファスナー。
【請求項４】
前記雄型の咬合子は、
前記一方の面に取り付けられる雄基部と、
前記一方の面に垂直な方向に対して斜めとなるように前記雄基部から突出する雄突起と、を備えることを特徴とする、
請求項１〜３のいずれかに記載のジップファスナー。
【請求項５】
対向する一対の面からなる袋状の包装材料の開口を封ずるジップファスナーであって、
前記開口に沿って前記一対の面の一方の面に取り付けられる雄型の咬合子と、
前記開口に沿って前記一対の面の他方の面に取り付けられ、前記雄型の咬合子と咬合する雌型の咬合子と、を備え、
前記雄型の咬合子は、
前記一方の面に取り付けられる雄基部と、
前記一方の面に垂直な方向に対して斜めとなるように前記雄基部から突出する雄突起と、を備えることを特徴とする、
ジップファスナー。
【請求項６】
請求項１〜５のいずれかに記載のジップファスナーを備えることを特徴とする、
包装材料。
【請求項７】
請求項６に記載の包装材料で物品を包装したことを特徴とする、
包装体。
【発明の詳細な説明】
【技術分野】
【０００１】
本発明は、ジップファスナー、包装材料及び包装体に関する。
【背景技術】
【０００２】
食品や日用品などの物品を包装する包装体には、開封後の再封性を持たせるために、開口側の端部に沿ってジップファスナーを設けたものがある（例えば、特許文献１参照）。
【０００３】
特許文献１に記載された包装体は、さらに、ジップファスナーよりも開口側にリブを設けることで、再封後であっても、開口側の端部が常に離隔した状態となるようになっている。これにより、再開封を容易に行うことができる。
【先行技術文献】
【特許文献】
【０００４】
【特許文献１】特許第４５０８７９７号公報（図１〜図４参照）
【発明の概要】
【発明が解決しようとする課題】
【０００５】
リブを設けた包装体は、リブを設けない包装体と比較して、開口側の端部を長く形成する必要がある。また、リブの分だけ部品点数が増加する。このため、コストが増加してしまうという問題がある。
【０００６】
本発明は、上記課題を鑑みてなされたものであり、コストを増加させることなく、再開封を容易にするジップファスナー、包装材料及び包装体を提供することを目的とする。
【課題を解決するための手段】
【０００７】
（１）本発明は、対向する一対の面からなる袋状の包装材料の開口を封ずるジップファスナーであって、前記開口に沿って前記一対の面の一方の面に取り付けられる雄型の咬合子と、前記開口に沿って前記一対の面の他方の面に取り付けられ、前記雄型の咬合子と咬合する雌型の咬合子と、を備え、前記雌型の咬合子は、前記他方の面に取り付けられる雌基部と、前記雄型の咬合子の両脇を挟み込む一対の雌突起と、を備え、前記一対の雌突起は、それぞれ、前記他方の面に垂直な方向に対して斜めとなるように前記雌基部から突出していることを特徴とする、ジップファスナーである。
【０００８】
上記（１）に記載の発明によれば、雌型の咬合子が、他方の面に垂直な方向から傾いているので、開口を封じたときに、相手となる雄型の咬合子が強制的に斜めになる。これにより、開口側の端部が常に離隔した状態になる。結果、再開封を容易に行わせることができる。
【０００９】
（２）本発明はまた、前記一対の雌突起は、互いに長さが異なることを特徴とする、上記（１）に記載のジップファスナーである。
【００１０】
（３）本発明はまた、対向する一対の面からなる袋状の包装材料の開口を封ずるジップファスナーであって、前記開口に沿って前記一対の面の一方の面に取り付けられる雄型の咬合子と、前記開口に沿って前記一対の面の他方の面に取り付けられ、前記雄型の咬合子と咬合する雌型の咬合子と、を備え、前記雌型の咬合子は、前記雄型の咬合子の両脇を挟み込む一対の雌突起を備え、前記一対の雌突起は、互いに長さが異なることを特徴とする、ジップファスナーである。
【００１１】
上記（２）及び（３）に記載の発明によれば、一対の雌突起の長さが互いに異なっているので、開口を封じたときに、相手となる雄型の咬合子が強制的に斜めになる。これにより、開口側の端部が常に離隔した状態になる。結果、再開封を容易に行わせることができる。
【００１２】
（４）本発明はまた、前記雄型の咬合子は、前記一方の面に取り付けられる雄基部と、前記一方の面に垂直な方向に対して斜めとなるように前記雄基部から突出する雄突起と、を備えることを特徴とする、上記（１）〜（３）のいずれかに記載のジップファスナーである。
【００１３】
（５）本発明はまた、対向する一対の面からなる袋状の包装材料の開口を封ずるジップファスナーであって、前記開口に沿って前記一対の面の一方の面に取り付けられる雄型の咬合子と、前記開口に沿って前記一対の他方の面に取り付けられ、前記雄型の咬合子と咬合する雌型の咬合子と、を備え、前記雄型の咬合子は、前記一方の面に取り付けられる雄基部と、前記一方の面に垂直な方向に対して斜めとなるように前記雄基部から突出する雄突起と、を備えることを特徴とする、ジップファスナーである。
【００１４】
上記（４）及び（５）に記載の発明によれば、雄型の咬合子が、一方の面に垂直な方向から傾いているので、開口を封じたときに、相手となる雌型の咬合子が強制的に斜めになる。これにより、開口側の端部が常に離隔した状態になる。結果、再開封を容易に行わせることができる。
【００１５】
（６）本発明はまた、上記（１）〜（５）のいずれかに記載のジップファスナーを備えることを特徴とする、包装材料である。
【００１６】
（７）本発明はまた、上記（６）に記載の包装材料で物品を包装したことを特徴とする、包装体である。
【発明の効果】
【００１７】
本発明の上記（１）〜（５）のいずれかに記載のジップファスナー、上記（６）に記載の包装材料、及び上記（７）に記載の包装体によれば、コストを増加させることなく、再開封を容易に行わせることができる。
【図面の簡単な説明】
【００１８】
【図１】本発明の第１実施形態に係る包装体の概略図である。
【図２】図１に示す包装体のジップファスナー部分を示す拡大図であり、（Ａ）は開封した状態を示し、（Ｂ）は再封した状態を示す。
【図３】本発明の第２実施形態に係る包装体のジップファスナー部分を示す拡大図であり、（Ａ）は開封した状態を示し、（Ｂ）は再封した状態を示す。
【図４】本発明の第３実施形態に係る包装体のジップファスナー部分を示す拡大図であり、（Ａ）は開封した状態を示し、（Ｂ）は再封した状態を示す。
【図５】（Ａ）は本発明の第４実施形態に係る包装体のジップファスナー部分を示す拡大図であって、再封した状態を示し、（Ｂ）は本発明の第５実施形態に係る包装体のジップファスナー部分を示す拡大図であって、再封した状態を示し、（Ｃ）は本発明の第６実施形態に係る包装体のジップファスナー部分を示す拡大図であって、再封した状態を示す。
【発明を実施するための形態】
【００１９】
以下、図面を参照して、本発明の第１〜第６実施形態に係る包装体１〜６について詳細に説明する。
【００２０】
［第１実施形態］まず、図１及び図２を用いて、包装体１の構成について説明する。図１は、包装体１の概略図である。図２は、包装体１のジップファスナー１０部分を示す拡大図である。図２（Ａ）は、開封した状態を示す。図２（Ｂ）は、再封した状態を示す。なお、本図及び以降の各図において、一部の構成を適宜省略して、図面を簡略化する。そして、本図及び以降の各図において、部材の大きさ、形状、厚みなどを適宜誇張して表現する。
【００２１】
図１に示される包装体１は、ジップファスナー１０を備える包装材料ＹＡ１によって、物品ＸＡ１を包装した四方シール包装体である。この包装体１は、四方のシール７部分に、開封用の切欠き８が形成されている。これにより、包装体１は、切欠き８から開封されて、物品ＸＡ１の出し入れが可能になる。そして、包装体１は、切欠き８から開封されて開口９（図２参照）となる部分（一点鎖線で図示する部分）に沿ってジップファスナー１０が取り付けられている。これにより、包装体１は、ジップファスナー１０を閉じることで再封される。また、包装体１は、ジップファスナー１０を開くことで再開封される。
【００２２】
図２に示されるジップファスナー１０は、対向する一対の面ＹＡ１１，ＹＡ１２からなる袋状の包装材料ＹＡ１の開口９を封ずる留め具であり、再封及び再開封を可能にする。具体的に、ジップファスナー１０は、開口９（図１に示す一点鎖線）に沿って一方の面ＹＡ１１に取り付けられる雄型の咬合子１１と、開口９（図１に示す一点鎖線）に沿って他方の面ＹＡ１２に取り付けられる雌型の咬合子１２と、を備えている。
【００２３】
雄型の咬合子１１及び雌型の咬合子１２は、合成樹脂などを材料として、金型などによって成型される。これら雄型の咬合子１１及び雌型の咬合子１２の材料となる合成樹脂としては、例えば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレン−アクリル酸共重合体、アイオノマー樹脂、エチレン−アクリル酸共重合体、エチレン−アクリル酸メチル共重合体、エチレン−メタクリル酸共重合体、あるいは、これらからなる樹脂などが挙げられる。
【００２４】
雄型の咬合子１１は、熱圧着などによって一方の面ＹＡ１１に取り付けられる雄基部１１１と、一方の面ＹＡ１１に垂直となるように雄基部１１１から突出する雄突起１１２と、を備えている。
【００２５】
雌型の咬合子１２は、熱圧着などによって他方の面ＹＡ１２に取り付けられる雌基部１２１と、雄型の咬合子１１の雄突起１１２の両脇を挟み込む一対の雌突起１２２と、を備えている。一対の雌突起１２２は、それぞれ、他方の面ＹＡ１２に垂直な方向に対して斜めとなるように雌基部１２１から互いに同じ方向（開口９の側と反対の方向）に突出している。
【００２６】
なお、ハッチングで図示するように、一対の雌突起１２２の基端側（雌基部１２１側）が肉厚になっており、強度アップが図られている。これにより、ジップファスナー１０を閉じる際に力が加わって雌型の咬合子１２が曲がってしまうことを防止する。
【００２７】
このように、ジップファスナー１０によれば、雌型の咬合子１２が、他方の面ＹＡ１２に垂直な方向から傾いているので、開口９を封じたときに、相手となる雄型の咬合子１１が強制的に斜めになる（図２（Ａ）→図２（Ｂ）参照）。これにより、開口９側の端部が常に離隔した状態になる（図２（Ｂ）参照）。結果、再開封を容易に行わせることができる。
【００２８】
［第２実施形態］次に、図３を用いて、包装体２の構成について説明する。図３は、包装体２のジップファスナー２０部分を示す拡大図である。図３（Ａ）は、開封した状態を示す。図３（Ｂ）は、再封した状態を示す。なお、ここでは、包装体２の特徴部分のみを説明し、包装体１と同様の構成、作用及び効果についての説明は省略する。また、以降の各実施形態についても、特徴部分のみを説明する。
【００２９】
図３に示されるジップファスナー２０は、一方の面ＹＡ１１に取り付けられる雄型の咬合子１１と、他方の面ＹＡ１２に取り付けられる雌型の咬合子２２と、を備えている。
【００３０】
雌型の咬合子２２は、熱圧着などによって他方の面ＹＡ１２に取り付けられる雌基部２２１と、雄型の咬合子１１の雄突起１１２の両脇を挟み込む一対の雌突起２２２と、を備えている。一対の雌突起２２２は、それぞれ、他方の面ＹＡ１２に垂直となるように雌基部２２１から突出している。これら一対の雌突起２２２は、互いに長さが異なっている。具体的に、開口９側の雌突起２２２が他方の雌突起２２２よりも長くなっている。
【００３１】
このように、ジップファスナー２０によれば、一対の雌突起２２２の長さが互いに異なっているので、開口９を封じたときに、相手となる雄型の咬合子１１が強制的に斜めになる（図３（Ａ）→図３（Ｂ）参照）。これにより、開口９側の端部が常に離隔した状態になる（図３（Ｂ）参照）。結果、再開封を容易に行わせることができる。
【００３２】
［第３実施形態］次に、図４を用いて、包装体３の構成について説明する。図４は、包装体３のジップファスナー３０部分を示す拡大図である。図４（Ａ）は、開封した状態を示す。図４（Ｂ）は、再封した状態を示す。
【００３３】
図４に示されるジップファスナー３０は、一方の面ＹＡ１１に取り付けられる雄型の咬合子３１と、他方の面ＹＡ１２に取り付けられる雌型の咬合子３２と、を備えている。
【００３４】
雄型の咬合子３１は、熱圧着などによって一方の面ＹＡ１１に取り付けられる雄基部３１１と、一方の面ＹＡ１１に垂直な方向に対して斜めとなるように雄基部３１１から突出する雄突起３１２と、を備えている。
【００３５】
雌型の咬合子３２は、熱圧着などによって他方の面ＹＡ１２に取り付けられる雌基部３２１と、雄型の咬合子３１の雄突起３１２の両脇を挟み込む一対の雌突起３２２と、を備えている。一対の雌突起３２２は、それぞれ、他方の面ＹＡ１２に垂直となるように雌基部３２１から突出している。これら一対の雌突起３２２は、互いに長さが同じとなっている。
【００３６】
このように、ジップファスナー３０によれば、雄型の咬合子３１が、一方の面ＹＡ１１に垂直な方向から傾いているので、開口９を封じたときに、相手となる雌型の咬合子３２が強制的に斜めになる（図４（Ａ）→図４（Ｂ）参照）。これにより、開口９側の端部が常に離隔した状態になる（図４（Ｂ）参照）。結果、再開封を容易に行わせることができる。
【００３７】
［第４実施形態］次に、図５（Ａ）を用いて、包装体４の構成について説明する。図５（Ａ）は、包装体４のジップファスナー４０部分を示す拡大図であって、再封した状態を示す。
【００３８】
図５（Ａ）に示されるジップファスナー４０は、第１実施形態のジップファスナー１０（図２参照）を変形したものである。このジップファスナー４０は、一方の面ＹＡ１１に取り付けられる雄型の咬合子１１と、他方の面ＹＡ１２に取り付けられる雌型の咬合子４２と、を備えている。
【００３９】
雌型の咬合子４２は、熱圧着などによって他方の面ＹＡ１２に取り付けられる雌基部４２１と、雄型の咬合子１１の雄突起１１２（図２参照）の両脇を挟み込む一対の雌突起４２２と、を備えている。一対の雌突起４２２は、それぞれ、他方の面ＹＡ１２に垂直な方向に対して斜めとなるように雌基部４２１から互いに同じ方向（開口９の側と反対の方向）に突出している。開口９側の雌突起４２２は、他方の雌突起４２２と比較して、雄突起１１２に引っ掛かるフック４２２ａ部分が長くなっている。
【００４０】
このように、ジップファスナー４０によれば、開口９側の雌突起４２２におけるフック４２２ａ部分が長くなっているので、相手となる雄型の咬合子１１がより強制的に斜めになる。これにより、開口９側の端部が常に離隔した状態になる（図５（Ａ）参照）。結果、再開封をより容易に行わせることができる。
【００４１】
［第５実施形態］次に、図５（Ｂ）を用いて、包装体５の構成について説明する。図５（Ｂ）は、包装体５のジップファスナー５０部分を示す拡大図であって、再封した状態を示す。
【００４２】
図５（Ｂ）に示されるジップファスナー５０は、第２実施形態のジップファスナー２０（図３参照）を変形したものである。このジップファスナー５０は、一方の面ＹＡ１１に取り付けられる雄型の咬合子１１と、他方の面ＹＡ１２に取り付けられる雌型の咬合子５２と、を備えている。
【００４３】
雌型の咬合子５２は、熱圧着などによって他方の面ＹＡ１２に取り付けられる雌基部５２１と、雄型の咬合子１１の雄突起１１２（図３参照）の両脇を挟み込む一対の雌突起５２２と、を備えている。一対の雌突起５２２は、それぞれ、他方の面ＹＡ１２に垂直となるように雌基部５２１から突出している。これら一対の雌突起５２２は、互いに長さが異なっている。具体的に、開口９側の雌突起５２２が他方の雌突起５２２よりも長くなっている。そして、開口９側の雌突起５２２は、他方の雌突起５２２と比較して、雄突起１１２に引っ掛かるフック５２２ａ部分が長くなっている。
【００４４】
［第６実施形態］次に、図５（Ｃ）を用いて、包装体６の構成について説明する。図５（Ｃ）は、包装体６のジップファスナー６０部分を示す拡大図であって、再封した状態を示す。
【００４５】
図５（Ｃ）に示されるジップファスナー６０は、第３実施形態のジップファスナー３０（図４参照）を変形したものである。このジップファスナー６０は、一方の面ＹＡ１１に取り付けられる雄型の咬合子３１と、他方の面ＹＡ１２に取り付けられる雌型の咬合子６２と、を備えている。
【００４６】
雌型の咬合子６２は、熱圧着などによって他方の面ＹＡ１２に取り付けられる雌基部６２１と、雄型の咬合子３１の雄突起３１２（図４参照）の両脇を挟み込む一対の雌突起６２２と、を備えている。一対の雌突起６２２は、それぞれ、他方の面ＹＡ１２に垂直となるように雌基部６２１から突出している。開口９側の雌突起６２２は、他方の雌突起６２２と比較して、雄突起３１２に引っ掛かるフック６２２ａ部分が長くなっている。
【００４７】
本発明は、上記各実施形態に限られるものではなく、その趣旨及び技術思想を逸脱しない範囲で種々の変形が可能である。また、上記各実施形態において、可能な範囲で他の実施形態の構成を適用してもよい。
【００４８】
例えば、第１実施形態の雌型の咬合子１２と、第３実施形態の雄型の咬合子３１と、を組み合わせて利用してもよい。そして、第２実施形態の雌型の咬合子２２と、第３実施形態の雄型の咬合子３１と、を組み合わせて利用してもよい。また、第４実施形態の雌型の咬合子４２と、第３実施形態の雄型の咬合子３１と、を組み合わせて利用してもよい。さらに、第５実施形態の雌型の咬合子５２と、第３実施形態の雄型の咬合子３１と、を組み合わせて利用してもよい。もちろん、他の組合せであってもよい。
【００４９】
あるいは、上記実施形態において、各構成の位置、大きさ、長さ、形状、材質、向きなどは適宜変更できる。例えば、包装形態は、四方シール包装体の場合に限らず、本発明は、ピロー包装体、三方シール包装体、深絞り包装体、あるいは、物品ＸＡ１を包装袋で包装した包装体など、各種包装体に適用できる。
【符号の説明】
【００５０】
１，２，３，４，５，６  包装体
９  開口
１０，２０，３０，４０，５０，６０  ジップファスナー
１１，３１  雄型の咬合子
１１１，３１１  雄基部
１１２，３１２  雄突起
１２，２２，３２，４２，５２，６２  雌型の咬合子
１２１，２２１，３２１，４２１，５２１，６２１  雌基部
１２２，２２２，３２２，４２２，５２２，６２２  雌突起
ＸＡ１  物品
ＹＡ１  包装材料
ＹＡ１１  一方の面
ＹＡ１２  他方の面
【図１】
2014117289.tif 000003
【図２】
2014117289.tif 000004
【図３】
2014117289.tif 000005
【図４】
2014117289.tif 000006
【図５】
2014117289.tif 000007